(57)【特許請求の範囲】
【請求項１】
建物躯体もしくは建物躯体に立設された支柱に固定される下枠と、下枠の上方位置において建物躯体もしくは建物躯体に立設された支柱に支持される上枠と、下枠及び上枠間に嵌め込まれて装着されるパネルユニットとからなり、
上枠及び下枠は、それぞれパネルユニットが嵌め込まれる上溝部及び下溝部を有しており、
上枠は、上溝部の下端から内側に連設される底面部を有し、建物躯体もしくは建物躯体に立設された支柱に対して、底面部をブラケットに載置してブラケットを介して上下方向に位置調節可能に支持され、かつ、パネルユニット嵌め込み後に任意の位置に固定可能である
ことを特徴とする手摺り。
【発明の詳細な説明】
【技術分野】
【０００１】
建物のバルコニー等に設けられ、ガラス板等を備えるパネルユニットにより形成される手摺りに関する。
【背景技術】
【０００２】
従来、建物のバルコニー等には手摺りが設けられているが、近年、デザイン性、採光性に優れたガラスパネルによって形成された手摺りが開発されて普及している。（特許文献１）
手摺りをバルコニーに対して施工する際には、バルコニー等の建物躯体に固定された上、下枠の溝部に対して、パネルユニットを嵌め込むことによって、手摺りを建物躯体に固定することが行われていた。
【先行技術文献】
【特許文献】
【０００３】
【特許文献１】特許第５３３００３２号公報
【発明の概要】
【発明が解決しようとする課題】
【０００４】
このようなガラス張りの手摺りにおいては、デザイン性が重視され、上下枠部分の見付け幅が小さい方が好ましい。しかし、上記先行技術文献等の手摺りにおいては、パネルを嵌め込む際に、パネルの上辺を上枠の溝部に対して差し込んだのち、パネルの下片を下枠の所定位置に嵌め込むことによって取り付けているので、上枠の溝部にはパネルの嵌め込みのための空間が必要となり、その分、笠木部分の見付け幅が大きくなって、デザイン性が損なわれることがあった。
【０００５】
本発明は、上記の事情を鑑みたものであり、手摺りの上枠の施工を容易にすることができるとともに上枠の見付け幅を小さくすることができ、意匠性、採光性に優れた手摺りを提供することを目的とする。
【課題を解決するための手段】
【０００６】
本願の請求項１に係る発明は、建物躯体もしくは建物躯体に立設された支柱に固定される下枠と、下枠の上方位置において建物躯体もしくは建物躯体に立設された支柱に支持される上枠と、下枠及び上枠間に嵌め込まれて装着されるパネルユニットとからなり、上枠及び下枠は、それぞれパネルユニットが嵌め込まれる上溝部及び下溝部を有しており、上枠は、上溝部の下端から内側に連設される底面部を有し、建物躯体もしくは建物躯体に立設された支柱に対して、底面部をブラケットに載置してブラケットを介して上下方向に位置調節可能に支持され、かつ、パネルユニット嵌め込み後に任意の位置に固定可能であることを特徴とする。
【発明の効果】
【０００７】
本願の請求項１に係る発明によれば、手摺りの上枠の施工を容易にするとともに、建物躯体や支柱に係る力が直接上枠に伝わらず、上枠の変形や破損を低減できる。
本願の請求項２に係る発明によれば、上枠のパネルを保持する溝部に必要以上の空間を設ける必要がなく、手摺りの笠木部分の見付け幅を小さくできる。
本願の請求項３に係る発明によれば、建物躯体面の仕上げや支柱の左右方向の位置ずれに伴うブラケットの取付誤差を吸収することができ、手摺りの施工を容易に且つ確実に行うことができる。
【図面の簡単な説明】
【０００８】
【図１】（ａ）は本発明の実施形態に係る手摺りを外側から見た正面図であり、（ｂ）は本発明の実施形態に係る手摺りを外側から見た斜視図である。
【図２】（ａ）は本発明の実施形態に係る手摺りの全体縦断面図であり、（ｂ）は本実施形態に係る手摺りの上枠の側端部を下方から見た斜視図である。
【図３】本発明の実施形態に係る手摺りのパネルユニットを説明するための図であり、（ａ）はパネルユニットの分解斜視図であり、（ｂ）は（ａ）における領域Ｂの拡大図である。
【図４】本発明の実施形態に係る手摺りのパネルユニットを説明するための図であり、（ａ）は図３（ａ）における領域Ｃの拡大図であり、（ｂ）は図３（ａ）における領域Ａの拡大図であり、（ｃ）は領域Ｃの組み立て後の図である。
【図５】（ａ）は本発明の実施形態に係る手摺りの上枠部分の縦断面図であり、（ｂ）は下枠部分の縦断面図である。
【図６】本発明の実施形態に係る手摺りの施工工程を説明するための図であり、（ａ）は建物躯体に対してブラケット及び外側下枠を取り付けた状態の縦断面図であり、（ｂ）はさらにブラケットに対して上枠を固定した状態を示す縦断面図である。
【図７】本発明の実施形態に係る手摺りの施工工程を説明するための図であり、（ａ）は建物躯体に固定された下枠及び上枠に対してパネルユニットを嵌め込む時の縦断面図であり、（ｂ）はパネルユニットを嵌め込む時の上枠部分の拡大正面図である。
【図８】本発明の実施形態に係る手摺りの施工工程を説明するための図であり、（ａ）は建物躯体に固定された下枠及び上枠に対してパネルユニットを嵌め込んだ状態の縦断面図であり、（ｂ）はパネルユニットを嵌め込んだ時の上枠部分の拡大正面図であり、（ｃ）はその正面拡大図である。
【図９】本発明の実施形態に係る手摺りの施工工程を説明するための図であり、（ａ）は笠木を取り付ける状態及び内側下枠を取り付ける状態を示す縦断面図であり、（ｂ）は手摺りの施工が完成した状態を示す縦断面図である。
【図１０】本発明の他の実施形態に係る手摺りのパネルユニットの上パネル框と右縦パネル框との接合を説明するための図であり、（ａ）は上パネル框と右縦パネル框との接合前の斜視図であり、（ｂ）は接合後の斜視図である。
【図１１】本発明の他の実施形態に係る手摺りの上枠部分の縦断面図である。
【図１２】本発明の実施形態に係る手摺りの下枠部分縦断面図である。
【図１３】（ａ）は図１（ａ）におけるａ−ａ断面図であり、（ｂ）は図１（ａ）におけるｂ−ｂ断面図である。
【発明を実施するための形態】
【０００９】
（手摺りの全体構成）
本発明を、バルコニーにおいて建物の壁面Ｗ間に設置される手摺りの実施形態を用いて説明する。なお、以下の説明において、バルコニーに設置される手摺りの建物側を内側といい、同手摺りの屋外側を外側という。
本発明の実施形態に係る手摺りは、図１（ａ），（ｂ）に示すように、両側に建物の壁面Ｗ，Ｗ等が存在するバルコニーに対して設置される手摺りであって、建物躯体の外周縁部を立ち上げて形成されたパラペットＰの上面に配置固定される下枠２と、両壁面Ｗ，Ｗ間にブラケット４，４を介して支持固定される上枠１と、上枠１と下枠２との間に横方向に間隔を開けて配置される２枚のパネルユニット３，３と、上枠１の上面に配置される笠木５とを備えている。
【００１０】
図２（ａ）に示すように、上枠１は、底面部１ｂと、底面部１ｂの外側に連設されて下方に開口する溝を形成する上溝部１ａと、底面部１ｂの上面に設けられる内係止爪１ｃとから形成されており、上溝部１ａの外側壁外面には外係止爪１ｄが形成されている。そして、上枠１を覆うように笠木５が装着されている。
笠木５は、上枠１の内側から外側にかけて全体を覆うカバー部５１により構成されており、カバー部５１の外側の内面には上枠１の外係止爪１ｄに係止される被係止部５１ｂが形成されるとともに、カバー部５１の内側の内面には水平方向に延設されてその先端に上枠１の内係止爪１ｃに係止される被係止部５１ａが形成されている。
そして、笠木５を上枠１の上方より被せることで、上枠１の内、外係止爪１ｃ，１ｄに対して被係止部５１ａ，５１ｂを係止させて装着することができ、必要に応じてネジ等の固定手段によって上枠１等に固定することも可能である。
【００１１】
また、手摺りを構成する下枠２は、ネジ等の固定手段ｂによってパラペットＰ上に固定される下笠木２１と、パラペットＰの上面を覆う下笠木カバー２２との二部材により形成されている。下笠木２１は、パラペットＰの上面に載置される載置部２１ａと、載置部２１ａの外側より下方に延設される外側壁部２１ｂと、載置部２１ａの外側より上方に立ち上がる中空の当接壁部２１ｃとからなり、下笠木カバー２２は、パネルユニット３の内側においてパラペットＰの上面を覆うカバー部２２ａと、カバー部２２ａの内側に設けられ、パラペットＰの内側面に固定される固定部２２ｂと、カバー部２２ａの内面より下方に垂下してパラペットＰ上面に当接する脚部２２ｃとからなり、下笠木２１と下笠木カバー２２とによって、パラペットＰの上面には下溝部２ａが形成されている。
そして、パネルユニット３の上辺部分及び下辺部分が上枠１の上溝部１ａ及び下枠２の下溝部２ａに支持されることで、パネルユニット３は上枠１及び下枠２間に配置されている。
【００１２】
上枠１を壁面Ｗに取り付けるためのブラケット４は、図２（ｂ）に示すように、壁面Ｗに固定される垂直部４１と上枠１の底面部１ｂが載置固定される水平部４２とからなる断面略Ｌ字状のスチール等の金属材料からなり、垂直部４１には垂直方向に延びる長孔４１ａ，４１ａが、水平部４２には、手摺りの見付け方向に延びる長孔４２ａ，４２ａが形成されている。そして、ブラケット４は、壁面Ｗに対して、垂直部４１の長孔４１ａ，４１ａにより上下方向に位置調節可能に支持することができ、上枠１は、底面部１ｂがブラケット４の水平部４２に形成された長孔４２ａ，４２ａを介して見付け方向に位置調節可能に支持されている。
【００１３】
手摺りを構成するパネルユニット３は、図３（ａ）に示すように、上パネル框３１，下パネル框３２及び左、右パネル框３３，３４を四周に組んでなるパネル框体の内周に、グレージングチャンネル３６を介してガラス等のパネル体３５を固定して形成されている。
下パネル框３２は、図３（ｂ）に示すように、底壁３２ａと、内、外側壁３２ｂ，３２ｂと、内、外側壁３２ｂ，３２ｂの上端に連設されお互い近接するように屈曲してなる係止壁３２ｃ，３２ｃとを有し、内側壁３２ｂの内側表面より水平に延びる水平壁３２ｄが形成されているとともに、外側壁３２ｂの外側表面より水平に突出する突出片３２ｅが形成されている。
また、下パネル框３２の長手方向両端部には、係止壁３２ｃ，３２ｃを切り欠いてなる切欠部３２ｆ，３２ｆが形成されており、切欠部３２ｆ，３２ｆが形成された位置の底壁３２ａ，３２ａには、ビス等の固定手段ｂを挿入するためのビス孔３２ｇ，３２ｇが形成されている。
【００１４】
上パネル框３１は、図４（ａ），（ｂ）に示すように、底壁３１ａと、内、外側壁３１ｂ，３１ｂと、内、外側壁３１ｂ，３１ｂの下端に連設されお互い近接するように屈曲してなる係止壁３１ｃ，３１ｃとにより下方に開口する断面略Ｕ字状の部材として形成されており、上パネル框３１の底壁３１ａには長手方向に沿ってタッピングホール３１ｄ，３１ｄが形成されている。
左、右パネル框３３，３４は、図４（ａ），（ｂ）に示すように、底壁３３ａ，３４ａと、内、外側壁３３ｂ，３３ｂ，３４ｂ，３４ｂと、内、外側壁３３ｂ，３３ｂ，３４ｂ，３４ｂの端部に連設されお互い近接するように屈曲してなる係止壁３３ｃ，３３ｃ，３４ｃ，３４ｃを有し、左右パネル框材の長手方向上端部より若干下方位置の係止壁３３ｃ，３３ｃ，３４ｃ，３４ｃを切り欠いてなる切欠部３３ｅ，３４ｅが形成されており、切欠部３３ｅ，３４ｅが形成された位置の底壁３３ａ，３４ａには、ビス等の固定手段ｂを挿入するためのビス孔３３ｆ，３４ｆ（図示はない）が形成されている。また、底壁３３ａ，３４ａの内周面にはタッピングホール３３ｄ，３４ｄが長手方向に沿って形成されている。
【００１５】
そして、図３（ｂ）に示すように、下パネル框３２の切欠部３２ｆ，３２ｆに対して左、右パネル框３３，３４の下端を挿入し、下パネル框３２の下方よりビス孔３２ｇ，３２ｇ及び左、右パネル框３３，３４のタッピングホール３３ｄ，３４ｄに対してビス等固定手段ｂをネジ止め固定することにより、下パネル框３２に対して左、右パネル框３３，３４が固定される。
さらに、図４（ａ），（ｂ）に示すように、左、右パネル框３３，３４の上方位置に形成された切欠部３３ｅ，３４ｅに上パネル框３１の両端を挿入し、左、右パネル框３３，３４の外周側よりビス孔３３ｆ，３４ｆ及び上パネル框３１のタッピングホール３１ｄ，３１ｄに対してビス等固定手段ｂによりネジ止め固定することで、左、右パネル框３３，３４に対して上パネル框３１が固定される。
【００１６】
このように、上下左右のパネル框が四周框組され、框組みに際して、ガラス等のパネル体３５の四周辺がグレージングチャンネル３６を介して各パネル框の係止壁間に配置されることにより、パネルユニット３が形成されている。
そして、上パネル框３１の両端が挿入される左、右パネル框３３，３４の上方位置に形成された切欠部３３ｅ，３４ｅが左、右パネル框３３，３４の上端部より若干下方位置に形成されることによって、図４（ｃ）に示すように、形成されたパネルユニット３において、上パネル框３１の上面は左、右パネル框３３，３４の上端面より低く配置されることとなる。
【００１７】
次に、パネルユニット３を上枠１及び下枠２間に配置した際の、上枠１とパネルユニット３の上辺部分との関係、及び、下枠２とパネルユニット３の下辺部分との関係について、説明する。
図５（ａ）に示すように、手摺りを構成する上枠１の上溝部１ａの内側壁内面及び外側壁内面には、内側壁突出部１ｅ及び外側壁突出部１ｆが、内側壁突出部１ｅが高い位置になるように高さ位置を異ならせて形成されており、内側壁突出部１ｅ及び外側壁突出部１ｆが上溝部１ａに対して挿入されたパネルユニット３の上辺部分の内外面（図５に示す実施形態においては、左、右パネル框３３，３４の内外面）に当接することで、パネルユニット３の上辺部分が支持されている。
【００１８】
一方、図５（ｂ）に示すように、下枠２の下溝部２ａを構成する下笠木カバー２２のカバー部２２ａの外側下面にはパネルユニット３の下パネル框３２の水平壁３２ｄに係止する係止部２２ｄが形成されており、係止部２２ｄによって下パネル框３２の水平壁３２ｄを係止した状態でカバー部２２ａの外側端部（突出部）２２ｅがパネルユニット３の下パネル框３２の内側壁３２ｂに当接している。また、下パネル框３２の外側壁３２ｂの外側表面に形成された突出片（突出部）３２ｅが下枠２の下溝部２ａを構成する下笠木２１の当接壁部２１ｃに当接している。このように、下笠木カバー２２のカバー部２２ａの外側端部（突出部）２２ｅが下パネル框３２の内側壁３２ｂに当接し、下パネル框３２の外側壁３２ｂの突出片３２ｅが下笠木２１の当接壁部２１ｃに当接することにより、パネルユニット３の下辺部分が支持されている。
【００１９】
したがって、パネルユニット３の上辺部分及び下辺部分は、いずれも上枠１及び下枠２、もしくはパネル框に形成された突出部分による線接触であるので、面で接触する場合に比べて、パネルユニットを嵌め込む際に必要なパネルユニット３の上辺部分及び下辺部分と突出部分とのクリアランスが小さくできる。さらに、パネルユニット３や上、下枠１，２に製造誤差等があっても各部材が変形するなどして対応することができ、パネルユニット３の装着後には、ガタツキを防止することができる。
なお、下笠木２１の載置部２１ａには、パネルユニット３の装着時に、下辺が内側に移動しないように位置を規制する位置決め突起２１ｄが設けられている。
【００２０】
（手摺りの施工工程）
上記実施形態に係る手摺の施工工程について、図６乃至９を参考にして、説明する。
図６（ａ）に示すように、手摺りを設置するパラペット（建物躯体）Ｐに対して、下笠木２１が、パラペットＰの外側の角部を覆うように載置されるとともに、パラペットＰの両側の建物壁面Ｗには、ブラケット４が、垂直部４１の長孔４１ａ，４１ａを介してネジ等の固定手段ｂにより上下動自在に仮固定されている。下笠木２１の外側壁部２１ｂには、水切材２１ｅが連結固定されているとともに、載置部２１ａの内側端部の下面には、シール材２１ｓが配置され、下笠木２１の下面に水等が侵入することを防止している。
【００２１】
そして、図６（ｂ）に示すように、下笠木２１は、載置部２１ａのシール材２１ｓが配置されている箇所において、ネジ等の固定手段ｂによってパラペットＰに固定されるとともに、ブラケット４の水平部４２の上面には上枠１の底面部１ｂが載置され、ブラケット４の水平部４２の下面よりネジ等の固定手段ｂによって、ブラケット４と上枠１とが連結固定される。
これによって、上枠１は、建物壁面Ｗに対して、ブラケット４の長孔４１ａ，４１ａの上下方向の長さ範囲において上下移動可能に支持されることとなる。
【００２２】
下笠木２１が固定され、上枠１が上下移動可能に支持された建物躯体に対して、パネルユニット３が装着される。パネルユニット３の装着時には、図７（ａ）に示すように、上枠１の上溝部１ａに対して内側下方より斜め上方に向かってパネルユニット３の上辺部分が挿入され、パネルユニット３の下辺部分が下笠木２１の当接壁部２１ｃに当接されるまで嵌め込まれる。このとき、図７（ｂ）に示すように、上枠１の上溝部１ａの内側壁内面及び外側壁内面に形成された内側壁突出部１ｅ及び外側壁突出部１ｆが、内側壁突出部１ｅが高い位置になるように高さ位置を異ならせて形成されているので、内側下方からのパネルユニット３の挿入に対する内側壁突出部１ｅと外側壁突出部１ｆとの間隔をパネルユニット３の上辺部分の幅寸法よりも大きく取ることができ、挿入を容易にすることができる。
【００２３】
そして、パネルユニット３の挿入後には、図８（ｂ）に示すように、内側壁突出部１ｅと外側壁突出部１ｆとの間隔はパネルユニット３の上辺部分の内外方向の寸法（左右パネル框３３，３４の幅寸法）と略等しくなり、内側壁突出部１ｅと外側壁突出部１ｆがパネルユニット３の上辺部分の内外面に当接することで、パネルユニット３の上辺部分を保持することができる。
また、上枠１が、建物壁面Ｗに上下移動可能に仮固定されているブラケット４に支持され、建物壁面Ｗに対して上下移動可能であるので、パネルユニット３の挿入時に上枠１が上方に移動することで上枠１の上溝部１ａが浅く形成されていてもパネルユニット３の下辺部分は下笠木２１を固定する載置部２１ａの上面の位置決め突起２１ｄやビス等の固定手段ｂを超えて下笠木２１の当接壁部２１ｃに当接させることができる。
【００２４】
パネルユニット３の下パネル框３２の突出片３２ｅが下笠木２１の当接壁部２１ｃに当接するように嵌め込まれて、上枠１と下笠木２１との間に配置されたら、図８（ａ）（ｂ）に示すように、上枠１及びブラケット４を長孔４１ａ，４１ａに沿って下方に移動させてパネルユニット３の左、右パネル框３３，３４の上端に上枠１の上溝部１ａの底１ｇを当接させ、その状態で、ブラケット４を仮固定している固定手段ｂの本締め行ってブラケット４及び上枠１を建物壁面Ｗに固定する。
【００２５】
その後、図８（ｃ）に示すように、上枠１の上溝部１ａの上方より上枠１とパネルユニット３の左、右パネル框３３，３４のタッピングホール３３ｄ，３４ｄとをネジ等の固定手段ｂにより固定するが、上パネル框３１の上面が左、右パネル框３３，３４の上端面よりも下方に位置しているので、上枠１の上溝部１ａの底１ｇと上パネル框３１の上面とは直接接することなく空間ｓが形成され、笠木５にかかる荷重が上枠１を介して上パネル框３１に直接伝わることがなく、パネルユニット３の上辺のガラス等の破損を防止することができる。
そして、下パネル框３２及び左、右パネル框３３，３４の下端を長ビス等の固定手段ｂによって下笠木２１に固定している。
【００２６】
最後に、図９（ａ）に示すように、下笠木カバー２２の係止部２２ｄによって下笠木２１に固定されたパネルユニット３の下パネル框３２の水平壁３２ｄを支持し、外側端部（突出部）２２ｅを下パネル框３２の内側壁３２ｂに当接させた状態で、固定部２２ｂを建物壁面Ｗに対してビス等の固定手段ｂにより固定することで下枠２を形成するとともに、上枠１の上方より笠木５を嵌め込んで笠木５の被係止部５１ａ，５１ｂに対して上枠１の内、外係止爪１ｃ，１ｄを係止させることにより、図９（ｂ）に示すように、手摺りが形成される。
【００２７】
（他の実施形態に係るパネルユニットの上框）
上記実施形態においては、左、右パネル框３３，３４の上方位置に形成された切欠部３３ｅ，３４ｅに対して、上パネル框３１の両端部を挿入して取り付けていたが、切欠部の形状を変更することで、上パネル框３１を左、右パネル框３３，３４の上方から落とし込むことにより取り付けるようにすることもできる。
以下、本発明の  他の実施形態に係るパネルユニットについて説明する。
他の実施形態においては、図１０（ａ）に示すように、右パネル框３４の切欠部３４ｅが、右パネル框３４の上端部において内、外側壁３４ｂ，３４ｂを底壁３４ａ近傍から完全に切欠いてなる側壁切欠３４ｇと側壁切欠３４ｇに連続して係止壁３４ｃをさらに切欠いてなる係止壁切欠３４ｈとから形成されている。なお、左パネル框３３についても同様の切欠部３３ｅが形成されている。
【００２８】
これに対して、切欠部３３ｅ，３４ｅに挿入される上パネル框３１には、内、外側壁３１ｂ，３１ｂの高さ方向略中央部位において、長さ方向に沿って外方に凸状部分３１ｅ，３１ｅが設けられており、左右の凸状部分３１ｅ，３１ｅにおける上パネル框３１の幅寸法が、左、右パネル框３３，３４の幅寸法と略同一に形成されている。
【００２９】
そして、左、右パネル框３３，３４の切欠部３３ｅ，３４ｅに上パネル框３１の両端を上方から落とすことにより、上パネル框３１の内、外側壁３１ｂ，３１ｂの下方部位が左、右パネル框３３，３４の係止壁切欠３３ｈ，３４ｈ内に配置されるとともに、凸状部分３１ｅ，３１ｅが側壁切欠３３ｇ，３４ｇに飲み込まれるように上端部に載置されこととなり、図１０（ｂ）に示すように、左、右パネル框３３，３４の内、外側壁３３ｂ，３３ｂ，３４ｂ，３４ｂと上パネル框３１の凸状部分３１ｅ，３１ｅとが面一となるように、パネルユニット３を組むことができる。
【００３０】
したがって、パネルユニット３の組み立てが簡単になるとともに、パネルユニット３の上辺部分を上枠１の上溝部１ａに挿入した際には、図１１に示すように、高さ位置の異なる内側壁突出部１ｅと外側壁突出部１ｆによって、パネルユニット３の左、右パネル框３３，３４の上端部の壁面とともに、上パネル框３１の凸状部分３１ｅ，３１ｅに当接して支持することができるので、内側壁突出部１ｅと外側壁突出部１ｆが当接するパネルユニット３の上辺部分を見付け方向全長に亘って形成することができ、パネルユニット３の支持を確実なものとすることができる。
【００３１】
（手摺りの排水構造）
本実施形態の手摺りのようなバルコニー等に設置された手摺りにおいて、パラペットＰへの固定部分に雨水等が侵入すると、下枠２をパラペットＰに固定するためのネジ等の固定手段や、パラペットＰを構成するコンクリート等が腐食し、手摺りにぐらつきが生じるなど、手摺りが不安定になることがある。
本実施形態に係る手摺りにおいては、下溝部２ａから下枠２内に侵入した雨水等を排水する排水構造を有している。
【００３２】
本実施形態に係る手摺りをパラペットＰに固定するに際して、図１２に示すように、パラペットＰの内側上面から内側面にかけて外側水切材６が配置されるとともに、パラペットＰの上面には、防水シート７が配置されているおり、下笠木２１の外側壁部２１ｂには水切材２１ｅが連結固定されている
また、下笠木カバー２２の脚部２２ｃの下端が切欠かれ、固定部２２ｂには排水孔が形成されて内側排水経路Ｘが形成されているとともに、下笠木２１の当接壁部２１ｃには、外側に貫通する排水孔が形成されて、外側排水経路Ｙが形成されている。
したがって、下溝部２ａの隙間等から侵入した雨水等は、内側排水経路Ｘもしくは外側排水経路Ｙを通ってパラペットＰの内側もしくは外側に排水され、下枠２とパラペットＰとの間に留まることはなく、ネジ等の固定手段や、パラペットＰを構成するコンクリート等が腐食することを防止できる。
【００３３】
（パネルユニットの連結部）
本実施形態に係る手摺りは、図１，２に示すように、上枠１及び下枠２間に複数のパネルユニット３を嵌め込むことにより手摺りが構成されており、隣接するパネルユニット３，３間において、上枠１の上溝部１ａ及び下枠２の下溝部２ａが開口するが、本実施形態に係る手摺りにおいては、図１３に示すように、パネルユニット３，３間の上枠１の上溝部１ａ及び下枠２の下溝部２ａに対して、それぞれキャップ８１，８２が装着される。
それにより、上枠１の下面及び下枠２の上面は、略面一に形成することができるので、意匠的にも優れ、上、下溝部１ａ，２ａに対してゴミ等が侵入することを防止できる。
【００３４】
以上のように、本実施形態に係る手摺りは、手摺りを建物躯体に上枠及び下枠を固定し、固定された上枠及び下枠に対して、框組した框体にガラス等のパネル体パネルを装着したパネルユニットを嵌め込むように取り付けることができるので、取り付け作業が簡単であり、また、上枠がブラケットを介して固定されており、ブラケットによって上下方向に位置調節自在に支持された状態でパネルユニットを嵌め込むことができ、パネルユニットを嵌め込んだ後に上下方向の任意の位置で固定することができるので、上枠のパネルユニットの飲み込み量を大きくすることなく、パネルユニットの取付を可能にして、上枠の見付け幅を小さくすることができ、意匠性、採光性に優れた手摺りを形成することができる。
【００３５】
なお、本発明を構成する各部材は、上記実施形態の構成に限定されるものではなく、各部材の具体的な構成、形状は、本発明を構成できるものであればどのような構成、形状のものでもよい。
また、上枠及び下枠の固定は、建物躯体に限定されるものではなく、例えば建物躯体に固定された支柱に対して固定されているものでもよい。
【符号の説明】
【００３６】
１      ：上枠
１ａ    ：上溝部
１ｂ    ：底面部
１ｃ    ：内係止爪
１ｄ    ：外係止爪
１ｅ    ：内側壁突出部（突出部）
１ｆ    ：外側壁突出部（突出部）
１ｇ    ：底
２      ：下枠
２ａ    ：下溝部
２１    ：下笠木
２１ａ  ：載置部
２１ｂ  ：外側壁部
２１ｃ  ：当接壁部
２１ｄ  ：位置決め突起
２１ｅ  ：水切材
２１ｓ  ：シール材
２２    ：下笠木カバー
２２ａ  ：カバー部
２２ｂ  ：固定部
２２ｃ  ：脚部
２２ｄ  ：係止部
２２ｅ  ：外側端部（突出部）
３      ：パネルユニット
３１    ：上パネル框
３１ａ  ：底壁
３１ｂ  ：外側壁
３１ｃ  ：係止壁
３１ｄ  ：タッピングホール
３１ｅ  ：凸状部分
３２    ：下パネル框
３２ａ  ：底壁
３２ｂ  ：内、外側壁
３２ｃ  ：係止壁
３２ｄ  ：水平壁
３２ｅ  ：突出片（突出部）
３２ｆ  ：切欠部
３２ｇ  ：ビス孔
３３    ：左パネル框
３３ａ  ：底壁
３３ｂ  ：外側壁
３３ｃ  ：係止壁
３３ｄ  ：タッピングホール
３３ｅ  ：切欠部
３３ｆ  ：ビス孔
３３ｇ  ：側壁切欠
３４    ：右パネル框
３４ａ  ：底壁
３４ｂ  ：外側壁
３４ｃ  ：係止壁
３４ｄ  ：タッピングホール
３４ｅ  ：切欠部
３４ｆ  ：ビス孔
３４ｇ  ：側壁切欠
３４ｈ  ：係止壁切欠
３５    ：パネル体
３６    ：グレージングチャンネル
４      ：ブラケット
４１    ：垂直部
４１ａ  ：長孔
４２    ：水平部
４２ａ  ：長孔
５      ：笠木
５１    ：カバー部
５１ａ  ：被係止部
５１ｂ  ：被係止部
【図１】
0006788982.tif 000002
【図２】
0006788982.tif 000003
【図３】
0006788982.tif 000004
【図４】
0006788982.tif 000005
【図５】
0006788982.tif 000006
【図６】
0006788982.tif 000007
【図７】
0006788982.tif 000008
【図８】
0006788982.tif 000009
【図９】
0006788982.tif 000010
【図１０】
0006788982.tif 000011
【図１１】
0006788982.tif 000012
【図１２】
0006788982.tif 000013
【図１３】
0006788982.tif 000014